(57)【特許請求の範囲】
【請求項１】
挿入部に複数の処置具用チャンネルを有する内視鏡において、
前記挿入部の先端部に形成された第１のチャンネル孔を有する第１の処置具用チャンネルと、
前記先端部に形成された第２のチャンネル孔を有する第２の処置具用チャンネルと、
前記先端部に設けられ、前記第１のチャンネル孔と前記第２のチャンネル孔の両方の先端開口にわたり連なって外部へ開口するように構成した共用のチャンネル出口と、
前記チャンネル出口内での前記第１のチャンネル孔の先端開口に対応した部位に設置され、前記第１のチャンネル孔から突き出した処置具の部分を、前記第１のチャンネル孔側から前記第２のチャンネル孔に向けて前記第１のチャンネル孔から突き出す前記処置具の部分を起上する第１の起上手段と、
前記チャンネル出口内での前記第２のチャンネル孔に対応した部位に設置され、前記第２のチャンネル孔から突き出した処置具の部分を、前記第２のチャンネル孔側から前記第１のチャンネル孔に向けて起上する第２の起上手段と、
を具備したことを特徴とする内視鏡。
【発明の詳細な説明】
【０００１】
【発明の属する技術分野】
本発明は、処置具を挿通する複数のチャンネルを有した内視鏡に関する。
【０００２】
【従来の技術】
複数の鉗子チャンネルを設けた内視鏡が実公昭５１−４２７０７号公報や特開平５−３０５０５１号公報において提案されている。複数の鉗子チャンネルを設ける内視鏡にあっては各鉗子チャンネルが独立して挿入部に形成されており、各鉗子チャンネルの先端部分は挿入部の先端部における本体部材に独立して先端を開口するように形成されている。
【０００３】
【発明が解決しようとする課題】
この種の内視鏡にあっては挿入部における先端部が特に太径化しやすいものである。つまり、挿入部の先端部には複数の鉗子チャンネル用部材のみならず、その他の内蔵物や組付け部材、さらには先端カバーを取り付けるため、他の部分よりも太径化し易い。その上、複数の鉗子チャンネルを設ける場合、その鉗子チャンネル部材を設置するスペース分だけではなく、加工上、複数の鉗子チャンネルの間、及び周囲に必要な肉厚を確保しなければならない。さらに各鉗子チャンネルの先端開口が先端カバーにわたり形成されるために、その先端カバーの肉厚等も加工上や強度上、十分に確保しなければならず、先端部を大型化する原因となるものであった。
【０００４】
本発明は前記課題に着目してなされたものであり、その目的とするところは複数の処置具用チャンネルを有する内視鏡において、挿入部の先端部が太径大型化しないようにした内視鏡を提供することにある。
【０００５】
【課題を解決するための手段】
本発明は、挿入部に複数の処置具用チャンネルを有する内視鏡において、前記挿入部の先端部に形成された第１のチャンネル孔を有する第１の処置具用チャンネルと、前記先端部に形成された第２のチャンネル孔を有する第２の処置具用チャンネルと、前記先端部に設けられ、前記第１のチャンネル孔と前記第２のチャンネル孔の両方の先端開口にわたり連なって外部へ開口するように構成した共用のチャンネル出口と、前記チャンネル出口内での前記第１のチャンネル孔の先端開口に対応した部位に設置され、前記第１のチャンネル孔から突き出した処置具の部分を、前記第１のチャンネル孔側から前記第２のチャンネル孔に向けて前記第１のチャンネル孔から突き出す前記処置具の部分を起上する第１の起上手段と、前記チャンネル出口内での前記第２のチャンネル孔に対応した部位に設置され、前記第２のチャンネル孔から突き出した処置具の部分を、前記第２のチャンネル孔側から前記第１のチャンネル孔に向けて起上する第２の起上手段と、を具備したことを特徴とする内視鏡である。
【０００６】
【発明の実施の形態】
［第１実施形態］
図１から図４を参照して本発明の第１実施形態を説明する。図１は内視鏡装置の全体的な構成を概略的に示す説明図、図２は内視鏡の挿入部における先端部の正面図、図３及び図４は図２中のＸ−Ｘ線に沿う部分の縦断面図である。
【０００７】
（構成）
図１で示すように、内視鏡装置１は内視鏡２を備える。内視鏡２は体腔内に挿入される軟性の挿入部３と、この挿入部３の基端に接続され検査者が把持して内視鏡２を操作するための把持操作部４と、この把持操作部４に接続され光源装置５及びビデオプロセッサ６に接続するための可撓性のユニバーサルコード７を有する。挿入部３は先端側から順に硬性な先端部１１と、上下左右に湾曲自在な湾曲部１２と、可撓性のある可撓管部１３を配置すると共に、これらの部材を順に接続してなるものである。図２で示すように、先端部１１には観察窓１４、第１の照明窓１５、第２の照明窓１６、ノズル１７、第１の鉗子チャンネル１８及び第２の鉗子チャンネル１９の先端開口が設けられている。
【０００８】
把持操作部４には先端部１１の向きを変えるために湾曲部１２の湾曲動作を制御する湾曲操作ノブ２１が設けられている。さらに、把持操作部４には送気送液機能を制御する送気／送液ボタン２２、吸引機能を制御する吸引ボタン２３、処置具等を導入する鉗子導入口２４、及び光源装置５の光量調整やビデオプロセッサ６に設けられた映像記録機能等を遠隔的に操作する操作スイッチ２７などが設けられている。
【０００９】
ユニバーサルコード７の延出先端には図１で示すように、光源装置５へ着脱自在に接続されるコネクタ２８が設けられており、このコネクタ２９にはビデオプロセッサ６に接続される信号ケーブル２９が接続されている。
挿入部３の先端部１１における観察窓１４には対物レンズを含む対物光学系や固体撮像素子等からなる撮像手段が組み込まれており、この撮像手段による撮像信号は内視鏡２内に組み込まれた図示しない信号線や信号ケーブル２９を介して信号処理装置であるビデオプロセッサ６に伝送されるようになっている。
【００１０】
前記ビデオプロセッサ６は撮像信号を処理すると共に、映像信号を表示するモニター３１、映像を記録するＶＴＲデッキ３２、ビデオプリンタ３３、及びビデオディスク３４に接続されている。
【００１１】
図３で示すように、前記先端部１１は金属あるいは樹脂などの材料で形成された先端部本体４１を有してなる。先端部本体４１の前端部外周には樹脂等で作られた先端部カバー４２が被嵌され、かつ両者はエポキシ系などの接着剤で固着されている。
【００１２】
前記先端部本体４１には第１の処置具用チャンネルとしての第１の鉗子チャンネル１８のチャンネル孔２５と、第２の処置具用チャンネルとしての第２の鉗子チャンネル１９のチャンネル孔２６が前後に貫通しており、その第１のチャンネル孔２５と第２のチャンネル孔２６は先端部本体４１の前後のほぼ中央位置で互いに通され、先端部本体４１のほぼ中央で開口する、共通の鉗子チャンネル出口４３を形成する。ここで、第１のチャンネル孔２５と第２のチャンネル孔２６は先端部１１の中心に対して対称的で先端側で徐々に近寄るように配置されているが、非対称的にしてもよい。この実施形態では先端部本体４１の中央付近に鉗子チャンネル出口４３を配設してあるが、この共通の鉗子チャンネル出口４３の設置位置は先端部本体４１の中央位置でなくともよい。
【００１３】
この実施形態での第１のチャンネル孔２５も第２のチャンネル孔２６もその横断面形状が真円な孔であり、鉗子チャンネル出口４３の横断面形状はその第１のチャンネル孔２５と第２のチャンネル孔２６の円形をなめらかにつなぐほぼ卵形の長円形状となっている（図２参照）。
【００１４】
そして、第１のチャンネル孔２５の内径をＡ、第２のチャンネル孔２６の内径をＢとし、鉗子チャンネル出口４３の長径をＣとすると、それらはＡ＋Ｂ≦Ｃとなるような関係で形成されている。また、第１のチャンネル孔２５の内径（Ａ）は第２のチャンネル孔２６の内径（Ｂ）よりも大きく形成してある（Ａ＞Ｂ）。
【００１５】
前記鉗子チャンネル出口４３はその形状で先端部カバー４２にわたり形成されている。先端部カバー４２の鉗子チャンネル出口４３における開口端縁部分４４は面取りが行われている。なお、ここでの鉗子チャンネル出口４３の横断面形状は卵形であるが、これに限定されるものではない。
【００１６】
前記先端部１１において、第１のチャンネル孔２５の基端側にはパイプ状の第１の口金４６が接続され、第２のチャンネル孔２６の基端側には同じくパイプ状の第２の口金４７が接続されている。各口金４６，４７は先端部本体４１に、例えば半田やエポキシ系などの接着剤で固着されている。また、各口金４６，４７の他端部分はいずれもテーパ状に広がっており、そして、第１の口金４６の他端には第１の鉗子チューブ５１が接続され、第２の口金４７の他端には第２の鉗子チューブ５２が接続されている。各鉗子チューブ５１，５２はこれを接続する口金４６，４７にエポキシ系などの接着剤で固着されている。また、図示しない糸で鉗子チューブ５１，５２の外周を縛り、その上からエポキシ系の接着剤で固定するようにしてもよい。ここで、第１のチャンネル孔２５と第１の鉗子チューブ５１の内径は等しい方が望ましいが異なっていてもよい。第２のチャンネル孔２６と第２の鉗子チューブ５２の内径の関係についても同じである。
【００１７】
前記先端部本体４１には湾曲部１１を形成している回動自在に連結された複数の湾曲駒群における最先端の湾曲コマ５５がエポキシ系などの接着剤や図示しないビスなどで固定されている。この最先端の湾曲コマ５５の外側には半田などで固定された湾曲用ブレード５６が被覆されており、その湾曲用ブレード５６の外周は湾曲ゴム５７で被覆されている。そして、前記先端部本体４１の外周に湾曲ゴム５７の先端部分を被せ、その被嵌部分に糸５８を巻き付けてその外側をエポキシ系などの接着剤５９を塗布することにより水密的に接続されている。
【００１８】
この実施形態では第１のチャンネル孔２５の内径（Ａ）を、第２のチャンネル孔２６の内径（Ｂ）より大きく形成したが、これに限られるものではない。また、直視系の内視鏡２として説明したが、斜視・側視系でもよい。第１のチャンネル孔２５と第２のチャンネル孔２６は観察窓１４に対して水平な方向、すなわちモニタ３１の画面上の水平方向へ第１のチャンネル孔２５及び第２のチャンネル孔２６が左右に配置させられているが、この方向に配置しなくても構わない。
【００１９】
（作用・効果）
例えば、図４で示す如く、一方の第１の鉗子チャンネル孔２５を通じて把持鉗子５３を挿通し、他方の第２の鉗子チャンネル孔２６を通じて高周波スネア５４を挿入する場合、第１のチャンネル孔２５の先端部分と第２のチャンネル孔２６の先端部分はその先端側が次第に近づく向きで形成されているので、その第１のチャンネル孔２５の中心の延長線と第２のチャンネル孔２６の中心の延長線が鉗子チャンネル出口４３の前方にあって観察及び処置を行う上でのベスト位置で交差する。
【００２０】
この延長線の交差ポイントの位置は観察あるいは処置方法などによっても異なるが、所望のポイントで交差するように第１のチャンネル孔２５と第２のチャンネル孔２６を傾斜させて形成するものである。
従って、把持鉗子５３と高周波スネア５４がその交差ポイントに向くので、例えば把持鉗子５３で病辺部をつまみ上げ、高周波スネア５４で切除する場合、その処置がし易い。
【００２１】
また、第１のチャンネル孔２５と第２のチャンネル孔２６が共通の鉗子チャンネル出口４３により先端部本体４１内で互いに連通する構成とすることで、その第１のチャンネル孔２５と第２のチャンネル孔２６を区画する部位や部材が不要になる。これは先端部カバー４２についても同じであり、先端カバー４２にはチャンネル間の肉厚を確保する必要がないため、細径小型化できると共に、加工も容易である。
【００２２】
実際上、第１のチャンネル孔２５と第２のチャンネル孔２６の間隔はそれらの後端側において第１の鉗子チューブ５１、第２の鉗子チューブ５２の肉厚分と、これを固着するための接着代あるいは作業上必要なスペースだけを確保できる程度で済むので、第１のチャンネル孔２５と第２のチャンネル孔２６を極力近接して設置することができ、処置具の起上量も少なくて済む。特に先端側で極力近接して設置することができる結果、その先端部１１を特に細径小型化することが可能となり、その挿入部の細径小型化に大きく寄与する。
【００２３】
この実施形態では特に第１のチャンネル孔２５の先端部分と第２のチャンネル孔２６の先端部分が先端側で次第に近づく向きで形成されているので、特に他の内蔵物や部材が密集しやすい先端部分においてそのチャンネル孔２５，２６の先端部分での周辺のスペースに余裕が生まれる。このため、密集しやすい先端部１１への内蔵物や部材の組み込みが容易になると共に、その先端部１１をより細径小型化することができる。このように先端部１１の構成が簡略化される。また、特に太くなり易い先端部１１が細径小型化がなされるため、体腔内への挿入部３の挿入が容易で患者の苦痛も軽減できる。
【００２４】
また、第１のチャンネル孔２５と第２のチャンネル孔２６の内径の和（Ａ＋Ｂ）より鉗子チャンネル出口２７の長径（Ｃ）の方が大きいため、把持鉗子５３、高周波スネア５４などの処置具が干渉したりひっかかることなく、スムーズに出し入れして適切な処置を容易に行うことができる。
【００２５】
少なくとも２つの連通しているチャンネル孔２５，２６の中心軸を結んだ直線上に、その少なくとも片方のチャンネル孔２５，２６に鉗子起上手段を設け、鉗子起上させたとき、他方のチャンネル孔２５，２６側に寄ってくるので処置し易い。
【００２６】
［第２実施形態］
図５から図７を参照して本発明の第２実施形態を用いて説明する。説明を簡略化するため第１実施形態と異なる部分を中心に説明する。他の構成は第１実施形態のものと同様である。図５は内視鏡の挿入部における先端部の正面図、図６及び図７は図５中Ｙ−Ｙ線に沿う部分の縦断面図である。
【００２７】
（構成）
この実施形態のものでは挿入部３の先端部１１に形成される第１のチャンネル孔２５と第２のチャンネル孔２６が先端部本体４１の中心軸方向と平行に配置されている。
【００２８】
径の大きな方の第１のチャンネル孔２５の先端側部位には起上台６１が設けられている。この起上台６１は先端部本体４１にピン６２によって回動自在に取り付けられていて、この起上台６１は起上したとき、他方のチャンネル孔２６側へ起上し、他方のチャンネル孔２６側に処置具を寄せるようになっている。従って、他方のチャンネル孔２６を通じて導入する処置具側に傾けて必要量寄せることができるので処置し易い。
【００２９】
起上台６１には図示しない起上ワイヤの先端が固定されており、把持操作部４に設けられた図示しない起上用レバーを手で動かすことによって起上ワイヤを牽引し、起上台６１を起上させるようになっている。起上ワイヤは先端部本体４１に第１のチャンネル孔２５の近傍に位置してその孔内に開口するように設けられた図示しない起上ワイヤ挿通孔を通じて把持操作部４まで導かれている。
【００３０】
ここで、第１実施形態の場合と同様に、第１のチャンネル孔２５の内径をＡ、第２のチャンネル孔２６の内径をＢ、鉗子チャンネル出口４３の長径をＦとすると、それらはＡ＋Ｂ＜Ｆの関係となっている。また、倒伏させた起上台６１のガイド面から計った鉗子チャンネル出口４３の長径ＧについてもＡ＋Ｂ＜Ｆ，Ｇの関係となるように構成されている。
【００３１】
なお、この実施形態では起上台６１を第１のチャンネル孔２５に設けたが、起上台６１を第２のチャンネル孔２６に設けても、第１のチャンネル孔２５及び第２のチャンネル孔２６の両方に設けてもよい。
【００３２】
（作用・効果）
図７で示すように、例えば第１のチャンネル孔２５を通じて高周波スネア５４を挿通し、第２のチャンネル孔２６を通じて把持鉗子５３を挿通し、起上台６１を起上させると、高周波スネア５４が把持鉗子５３に近づくようになるので、把持鉗子５３の先端と高周波スネア５４の先端があるポイントで交差するようになる。前述したポイントは観察あるいは処置方法などによって異なるが、所望のポイントで交差するように自由に起上台６１を起上させればよい。
【００３３】
また、第１のチャンネル孔２５と第２のチャンネル孔２６が共通の鉗子チャンネル出口４３により先端部本体４１内で互いに連通する構成とすることで、その第１のチャンネル孔２５と第２のチャンネル孔２６を区画する部位や部材が不要になる。これは先端部カバー４２についても同じである。実際には第１のチャンネル孔２５と第２のチャンネル孔２６の間隔はそれらの後端側において第１の鉗子チューブ５１、第２の鉗子チューブ５２の肉厚分と、これを固着するための接着代あるいは作業上必要なスペースだけでよいので、挿入部３、特に先端部１１を細径小型化することが可能である。
【００３４】
［第３実施形態］
図８及び図９を用いて本発明の第３実施形態を説明する。説明を簡略化するため第１実施形態と異なる部分を中心に説明する。他の構成は第１実施形態のものと同様である。図８及び図９はそれぞれ挿入部における先端部の一部の縦断面図である。
【００３５】
（構成）
この実施形態のものでは第１のチャンネル孔２５の孔内に第１の鉗子チューブ５１の先端部が延びて入り込んでおり、第１のチャンネル孔２５の孔部内に入り込んで位置する第１の鉗子チューブ５１の先端円筒部７１は先端部本体４１の略中央までの領域においてエポキシ系などの接着剤でその先端部本体４１に固着されている。第１の鉗子チューブ５１の先端円筒部７１における先端部分は先端部本体４１に固定されていない。第１の鉗子チューブ５１の先端円筒部７１における先端近傍部分は他のチューブ部分に比べて硬く形成された硬質部７２（図８中斜線部分）となっていて、起上可能な起上手段を構成している。この硬質部７２は硬化処理を施して形成してもよく、また、樹脂などを固着して硬質なものに形成してもよい。
【００３６】
第１のチャンネル孔２５における、他方の第２のチャンネル孔２６側に位置する先端側壁部分にはへこみ部７３を設けられ、へこみ部７３には制御面７４と凹部７５が形成されている。
【００３７】
さらに、第１の鉗子チューブ５１の先端に形成された硬質部７２には前記へこみ部７３側に位置した部位に、起上ワイヤ取付け部７６が設けられている。起上ワイヤ取付け部７６は第１のチャンネル孔２５の中心軸と第２のチャンネル孔２６の中心軸を結んだ線分上に位置する。前記起上ワイヤ取付け部７６には起上ワイヤ７７の先端が固着されている。また、起上ワイヤ７７はこれの先端にストッパーを固着して前記起上ワイヤ取付け部７６に係止固定するようにしてもよい。
【００３８】
（作用・効果）
起上ワイヤ７７を引っ張ると、第１の鉗子チューブ５１の先端円筒部７１が途中から曲がり、特に硬質部７２が制御面７４に当たることによりその起上角度が制御される。このとき、第１の鉗子チューブ５１に発生する皺は凹部７５内で吸収され、先端円筒部７１の曲がりに支障が起きない。この実施形態では鉗子起上台を設けないので、特に先端部１１の細径小型化を図ることができる。
【００３９】
なお、図９で示すように、第１の鉗子チューブ５１に発生する皺はそのチューブ５１の先端円筒部７１の曲がり部に対応してその曲がり部に切欠き部７８等を設けることにより吸収するようにしてもよい。このような起上手段は第２の鉗子チューブ５２側に設けるようにしてもよい。
【００４０】
（他の変形例）
例えば図１０で示すように、前記第１の鉗子チューブ５１にルーメンチューブを使ったものでもよい。これは第１の鉗子チューブ５１の肉部内にルーメン８１を設け、このルーメン８１内に起上ワイヤ８２を挿通し、ルーメン８１の先端部分に設けた起上ワイヤ取付け部８３に起上ワイヤ８２の先端を固着する。この場合、第１の鉗子チューブ５１の先端から先端近傍部にわたり前記ルーメン８１の両側にスリット８４を設けてこの間に舌片８４を形成し、これを起上手段の起上台としたものである。舌片８４の先端側部分は硬化処理をほどこして硬くし、あるいは樹脂などを固着して硬くしてもよい。
そして、起上ワイヤ８２を手前に引くことにより舌片８４を点線で示す如く、起上させることができる。
【００４１】
また、これの変形例として、図１１で示すように、第１の鉗子チューブ５１にルーメンチューブを使ったものでもよい。第１の鉗子チューブ５１の先端から先端近傍部にわたり軸方向に平行な２つのスリット８５を形成して舌片８６を形成し、これを起上台としたものである。舌片８６には溝８７を設け、この溝８７に前記起上ワイヤ８８を沿わしたものでもよい。
【００４２】
図１２は挿入部３の全長にわたり、鉗子チャンネルをマルチルーメンチューブで形成したものであり、この挿入部３内には先端部１１に設けた個体撮像素子の信号ケーブル９１、照明用の第１のライトガイドファイバー９２、第２のライトガイドファイバー９３、観察窓１４のノズル１７を通じ、そのノズル１７に送気、送水を行うための送水管９５、送気管９６、湾曲部１２を湾曲駆動させるための湾曲操作ワイヤ９７をガイドするコイルパイプ９８が埋設されている。さらに複数の鉗子チャンネルを設ける場合、例えば２つ鉗子チャンネルを設ける場合には２本のルーメンを有し、その２つのルーメンの外形をなめらかにつないだ形状のルーメンチューブ９９を設け、これを挿入部３を形成するマルチルーメンチューブの適合するルーメン内に埋設して構成したものである。ルーメンチューブ９９内に形成される２つ鉗子チャンネル１０１，１０２の先端は連通しており、鉗子チャンネル出口１０３を形成している。
【００４３】
＜付記＞
１．複数の処置具用チャンネルを有する内視鏡において、挿入部の先端部に設けられ外部へ開口するチャンネル出口と、前記先端部内に形成された第１のチャンネル孔を有する第１の処置具用チャンネルと、前記先端部内に形成された第２のチャンネル孔を有する第２の処置具用チャンネルとを具備し、第１のチャンネル孔と第２のチャンネル孔は前記先端部内で前記チャンネル出口に連なって前記チャンネル出口を共用する構成にしたことを特徴とする内視鏡。
２．チャンネル出口は長円形状に形成され、そのチャンネル出口の長径は、第１のチャンネル孔の内径と、第２のチャンネル孔の内径との和の同等以上であることを特徴とする第１項に記載の内視鏡。
３．第１のチャンネル孔及び第２のチャンネル孔の少なくとも一方のチャンネル孔に他方のチャンネル孔に向けて処置具を起上させる起上手段を設けたことを特徴とする第１項または第２項に記載の内視鏡。
【００４４】
４．第１のチャンネル孔及び第２のチャンネル孔の一方あるいは両方にチャンネル孔から導出する処置具を起上させる起上手段を設けたことを特徴とする第１項または第２項に記載の内視鏡。
５．第１のチャンネル孔の中心軸と第２のチャンネル孔の中心軸を結んだ直線上に起上手段を設けたことを特徴とする第３項または第４項に記載の内視鏡。
６．第１の処置具用チャンネル及び第２の処置具用チャンネルの少なくとも一方のチャンネルを形成するチューブの先端部を、これに対応するチャンネル孔及びチャンネル出口の少なくとも一方の部位に位置させて設置し、前記チューブの先端部を硬質化すると共に、その先端部に起上ワイヤの先端を取着して前記チューブの先端部を起上させ得るようにしたことを特徴とする第１項乃至第５項に記載の内視鏡。
【００４５】
７．起上ワイヤを挿通する孔を、チューブの肉部に設けると共に、前記チューブの先端部であって、前記起上ワイヤを挿通する孔の両側に切れ目を設けて起上片を形成して起上手段を構成したことを特徴とする第６項に記載の内視鏡。
８．前記第１の処置具用チャンネル及び第２の処置具用チャンネルはマルチルーメンチューブのルーメンを利用して形成されていることを特徴とする第１項乃至第７項に記載の内視鏡。
９．複数のチャンネルを有する内視鏡において、２つ以上のチャンネルの、少なくとも一部分が先端部の本体内で連通していることを特徴とする内視鏡。
【００４６】
【発明の効果】
以上説明したように本発明は、第１のチャンネル孔と第２のチャンネル孔が先端部内でチャンネル出口に連なってそのチャンネル出口を共用する構成にしたから、第１のチャンネル孔２５と第２のチャンネル孔２６を極力近接して設置することができ、複数の処置具用チャンネルを有する内視鏡であるにも拘らず、挿入部の先端部を大径大型化させない。
【図面の簡単な説明】
【図１】第１実施形態に係る内視鏡装置の全体的な構成を概略的に示す説明図。
【図２】第１実施形態に係る内視鏡の挿入部における先端部の正面図。
【図３】図２中のＸ−Ｘ線に沿う部分の縦断面図。
【図４】図２中のＸ−Ｘ線に沿う部分の縦断面図。
【図５】第２実施形態に係る内視鏡の挿入部における先端部の正面図。
【図６】図５中のＹ−Ｙ線に沿う部分の縦断面図。
【図７】図５中のＹ−Ｙ線に沿う部分の縦断面図。
【図８】第３実施形態に係る内視鏡の挿入部における先端部の一部の縦断面図。
【図９】第３実施形態に係る内視鏡の挿入部における先端部の一部の縦断面図。
【図１０】（ａ）は変形例を示す先端部の一部の縦断面図、（ｂ）はその先端部の一部の正面図。
【図１１】（ａ）は他の変形例を示す先端部の一部の縦断面図、（ｂ）はその先端部の一部の正面図。
【図１２】さらに他の変形例を示す先端部の横断面図。
【符号の説明】
２…内視鏡、３…挿入部、１１…先端部、１２…湾曲部、１３…可撓管部、
１８…第１の鉗子チャンネル、１９…第２の鉗子チャンネル、
２５…第１のチャンネル孔、２６…第２のチャンネル孔、
４１…先端部本体、４３…鉗子チャンネル出口。
【図１】
0003869528.tif 000002
【図２】
0003869528.tif 000003
【図３】
0003869528.tif 000004
【図４】
0003869528.tif 000005
【図５】
0003869528.tif 000006
【図６】
0003869528.tif 000007
【図７】
0003869528.tif 000008
【図８】
0003869528.tif 000009
【図９】
0003869528.tif 000010
【図１０】
0003869528.tif 000011
【図１１】
0003869528.tif 000012
【図１２】
0003869528.tif 000013